【手続補正書】
【提出日】平成22年9月24日(2010.9.24)
【手続補正１】
【補正対象書類名】特許請求の範囲
【補正対象項目名】全文
【補正方法】変更
【補正の内容】
【特許請求の範囲】
【請求項１】
水洗便器への供給洗浄水を貯留する貯水タンクと、
前記貯水タンクの底部に設けた排水孔の開閉を行う排水弁と、
前記貯水タンクの壁面に穿設した取付孔に嵌着したボス部と、
前記ボス部を回動可能に貫通したスピンドルと、
前記貯水タンク内の前記スピンドルの先端に前記スピンドルの回動軸と直交するように
突設し、前記排水弁に一端が接続された可撓性の連結部材の他端を接続したブラケットと
、
前記貯水タンク外の前記スピンドルの基端に前記スピンドルの回動軸と直交するように
突設した操作用レバーハンドルと、を備え、前記操作用レバーハンドルを操作して前記排
水弁の引き上げ操作を行う洗浄水タンク装置において、
前記ブラケット又は前記連結部材に、一定重量の重錘を取付けて、前記スピンドルの回動軸を中心とした前記操作用レバーハンドル側の重量モーメントと前記ブラケット側の重量モーメントとのバランスにより、前記操作用レバーハンドルの操作後の復帰時に前記操作用レバーハンドルが所定の位置に定置するように構成されると共に、前記重錘は、着脱自在に取り付けられることを特徴とする洗浄水タンク装置。
【請求項２】
前記操作用レバーハンドルの復帰位置において、前記重錘の位置は、前記スピンドルの
回動軸を中心として、前記操作用レバーハンドルの突設方向と反対側にオフセットしたこ
とを特徴とする請求項１に記載の洗浄水タンク装置。
【請求項３】
前記重錘は、変位自在に構成することにより、前記ブラケット側の重量モーメントを変
換可能に構成したことを特徴とする請求項１又は２のいずれか１項に記載の洗浄水タンク装
置。
【請求項４】
前記所定の位置は、前記操作用レバーハンドルが略水平に突設される位置であることを
特徴とする請求項１〜３のいずれか１項に記載の洗浄水タンク装置。
【請求項５】
前記操作用レバーハンドルの復帰作動の慣性に基づく過復帰を一定範囲に規制するため
のストッパーを、前記スピンドルに連動する前記操作用レバーハンドルの内部と前記貯水
タンクに固定した前記ボス部との間に介在したことを特徴とする請求項１〜４のいずれか
１項に記載の洗浄水タンク装置。
【手続補正２】
【補正対象書類名】明細書
【補正対象項目名】０００７
【補正方法】変更
【補正の内容】
【０００７】
上記目的を達成するため、請求項１に記載の発明は、水洗便器への供給洗浄水を貯留す
る貯水タンクと、前記貯水タンクの底部に設けた排水孔の開閉を行う排水弁と、前記貯水
タンクの壁面に穿設した取付孔に嵌着したボス部と、前記ボス部を回動可能に貫通したス
ピンドルと、前記貯水タンク内の前記スピンドルの先端に前記スピンドルの回動軸と直交
するように突設し、前記排水弁に一端が接続された可撓性の連結部材の他端を接続したブ
ラケットと、前記貯水タンク外の前記スピンドルの基端に前記スピンドルの回動軸と直交
するように突設した操作用レバーハンドルと、を備え、前記操作用レバーハンドルを操作
して前記排水弁の引き上げ操作を行う洗浄水タンク装置において、前記ブラケット又は前
記連結部材に、一定重量の重錘を取付けて、前記スピンドルの回動軸を中心とした前記操
作用レバーハンドル側の重量モーメントと前記ブラケット側の重量モーメントとのバラン
スにより、前記操作用レバーハンドルの操作後の復帰時に前記操作用レバーハンドルが所
定の位置に定置するように構成されると共に、前記重錘は、着脱自在に取り付けられたことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
請求項３に記載の発明は、請求項１又は２のいずれか１項に記載の発明において、前記重
錘は、変位自在に構成することにより、前記ブラケット側の重量モーメントを変換可能に
構成したことを特徴とする。
【手続補正５】
【補正対象書類名】明細書
【補正対象項目名】００１１
【補正方法】変更
【補正の内容】
【００１１】
請求項４に記載の発明は、請求項１〜３のいずれか１項に記載の発明において、前記所
定の位置は、前記操作用レバーハンドルが略水平に突設される位置であることを特徴とする。
【手続補正６】
【補正対象書類名】明細書
【補正対象項目名】００１２
【補正方法】変更
【補正の内容】
【００１２】
請求項５に記載の発明は、請求項１〜４のいずれか１項に記載の発明において、前記操
作用レバーハンドルの復帰作動の慣性に基づく過復帰を一定範囲に規制するためのストッ
パーを、前記スピンドルに連動する前記操作用レバーハンドルの内部と前記貯水タンクに
固定した前記ボス部との間に介在したことを特徴とする。
【手続補正７】
【補正対象書類名】明細書
【補正対象項目名】００１３
【補正方法】変更
【補正の内容】
【００１３】
請求項１に記載の発明によれば、水洗便器への供給洗浄水を貯留する貯水タンクと、貯
水タンクの底部に設けた排水孔の開閉を行う排水弁と、貯水タンクの壁面に穿設した取付
孔に嵌着したボス部と、ボス部を回動可能に貫通したスピンドルと、貯水タンク内のスピ
ンドルの先端にスピンドルの回動軸と直交するように突設し、排水弁に一端が接続された
可撓性の連結部材の他端を接続したブラケットと、貯水タンク外のスピンドルの基端にス
ピンドルの回動軸と直交するように突設した操作用レバーハンドルと、を備え、操作用レ
バーハンドルを操作して排水弁の引き上げ操作を行う洗浄水タンク装置において、ブラケ
ット又は連結部材に、一定重量の重錘を取付けて、スピンドルの回動軸を中心とした操作
用レバーハンドル側の重量モーメントとブラケット側の重量モーメントとのバランスによ
り、操作用レバーハンドルの操作後の復帰時に操作用レバーハンドルが所定の位置に定置
するように構成したので、貯水タンクの取付孔に歪みがあっても、この取付孔に嵌着した
ボス部に操作用レバーハンドルの中立位置を当接規定するためのストッパ等を設けること
なく、操作用レバーハンドルの中立位置を一定の位置に保持することができる。しかも、
重錘が貯水タンク内に設けられていることから、外部から視認されることがなく、見栄え
を損ねることもない。また、重錘は、着脱自在であるので、仮に操作用レバーハンドルの形状が変更された場合であっても、適宜重錘を交換することにより、ブラケット側の重量モーメントを容易に調整することができる。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】変更
【補正の内容】
【００１６】
請求項３に記載の発明によれば、重錘は、変位自在に構成することにより、ブラケット
側の重量モーメントを変換可能に構成したので、操作用レバーハンドルの形状のバラツキ
等に起因して操作用レバーハンドル側の重量モーメントにバラツキのある場合であっても
、重錘を交換することなくブラケット側の重量モーメントを容易に調整することができる
。
【手続補正１０】
【補正対象書類名】明細書
【補正対象項目名】００１７
【補正方法】変更
【補正の内容】
【００１７】
請求項４に記載の発明によれば、所定の位置は、操作用レバーハンドルが略水平に突設
される位置であるので、操作用レバーハンドルに対して重力方向に力を加えて回転させる
という人間の手にとって極めて容易な動きによって操作可能な位置である略水平位置を、
操作用レバーハンドルの中立位置とすることができる。
【手続補正１１】
【補正対象書類名】明細書
【補正対象項目名】００１８
【補正方法】変更
【補正の内容】
【００１８】
請求項５に記載の発明によれば、操作用レバーハンドルの復帰作動の慣性に基づく過復
帰を一定範囲に規制するためのストッパーを、スピンドルに連動する操作用レバーハンド
ルの内部と貯水タンクに固定したボス部との間に介在したので、操作用レバーハンドルの
復帰作動の慣性に基づく操作用レバーハンドルの過復帰を防止することができる。